(57)【要約】      （修正有）【課題】プールや温泉などで湯水に入る場合、絶対に漏れの無いストーマ袋の絶縁器具を提供する。【解決手段】ストーマ袋１４から外部には異臭を出さないよう、ストーマ患者はいつも清潔に気を配る必要がある、この為にストーマ袋内の皮膚部分の洗浄方法は今まではなく大変に厄介なので、皮膚の表面部分が簡便に清浄出来るようにした。この事により皮膚障害の予防に寄与できる、又フイルターの濾過機能が劣化した場合、今までは処理が大変難しかったが、何時でも新しいフイルターとの交換が容易に出来るようにした。これは全ての人口肛門等の方、老人をはじめ介護を受けている方、寝たきりの患者などストーマ袋を利用している全ての患者に適用できる。【選択図】図１
2012075835.tif 000002
【特許請求の範囲】
【請求項１】
この装具は、４個の部品で構成しているので、以下詳細に説明する。
第１はリングを調整するキャップ、第２はホースを固定するリング、第３はキャップと螺合するための雄ネジのついた嵌着リングＡ、第４はストーマ袋と接触している台座で凹ネジがついている嵌着リングＢ。
キャップにはリングを収める溝がある、溝の上部には垂直方向に向かって斜めにテイパーがある、
リングの外側上部には、キャップのテイパーに対応するように斜めにテイパーをつけている、又リングには締め付けの時、伸縮を調整するためのクリアランスがある。
嵌着リングＡの台には雄ネジの他に凸ネジが付いている。
凹ネジとストーマ袋と接触している嵌着リングＢの台がある、この凹ネジ台とストーマ袋が接触している部分は接着材や熱圧着により固定する。
嵌着リングＡと嵌着リングＢの凹凸ネジが嵌合することにより固定台座が出来上がる。
以上の４部品を組み立てて、キャップを回転するとリングが伸縮して、ホースを固定したり開放したりすることが出来る、又フイルター用として使用する場合は、フイルターを固定したり開放したりすることが出来るようにした。
ストーマ袋の改善については、螺合ネジ以外に凹凸ネジなどによって薄型のストーマ袋の装具を作成することが出来る、ストーマ袋のフイルター及び清浄器具の取替装具。
【請求項２】
既設のストーマ袋に、本発明品と合致させるためには、雄ネジのある螺合リング台とストーマ袋の一部とストーマ袋を押さえるリングなどは固定する必要がある、この三者の接触面を接着材や熱圧着により固定する。これにキャップとリングを組合せることにより、ホースの固定や開放が可能となる、ストーマ袋のフイルター及び清浄器具の取替装具。
【請求項３】
今回発明したフイルターは、濾過機能が劣化した場合、その劣化したフイルターを、ストーマ袋の内部に押し込んで放棄する、そして新しいフイルターと交換をする。
その為にはこのフイルターは、ちり紙のような材質で水溶性のもので構成している、これらを容易に交換することが出来るようにした。
フイルターの図では、厚い形のフイルターを表示しているが、使用目的によっては薄型のフイルターも使用することが出来る、ストーマ袋のフイルター及び清浄器具の取替装具。
【請求項４】
フイルターが呼吸する為には、２枚の円板を、キャップの溝の中にあるリングと入れ替える必要がある、この呼吸用の円板には直径の３分の１の位置に呼吸用の穴を２枚とも開けておく、この１方の円板を回転して、２枚とも穴の位置が合致すると呼吸を開始する、又穴の位置がずれると呼吸は停止するなど、呼吸をコントロールするもので、ストーマ袋のフイルター及び清浄器具の取替装具。
【発明の詳細な説明】
【技術分野】
【０００１】  人口肛門患者は汚染物質を一時的に蓄積保存する袋を身体に取り付けている、これをストーマ袋と言う。
当然袋内部には悪臭の気も発生するのでこれも蓄積している，この悪臭気を濾過して外部に放出するためのフイルターがついている、袋内部が汚染してフイルター先端の吸込む面の部分が汚染する、その汚染したフイルターは使用不能となる、これを改善して随時新しいフイルターと容易に交換することが出来る機能を付加した装具である。このフイルターは、ちり紙のような水溶性の材質で構成されているので、ストーマ袋の内部へ押し込んで廃棄することが出来る。
又汚染物質によって時間と共にストーマ袋内部の汚染物質は拡大して蓄積する、これを清掃して皮膚の障害を少なくするための装具でもある、この装具はストーマ袋への取り付け、及び取り外しが容易に出来る構造で、前者と互換して使用することが出来る。
【背景技術】
【０００２】  ストーマ袋を常に新品と交換すると、費用もかさむしエコにもならないので必要の都度内部を清掃する、これは皮膚の保護にも良好である。
更に、臭気についても同様に他人に迷惑をかけないようにするため、今回の提案では、濾過機能が劣化したフイルターは、このストーマ袋の内部に押し込んで放棄して交換することができる構造とした。
【先行技術文献】
【０００３】
【非特許文献１】  本特許願を作成するにあたって次の書を参考にした。  ストーマケアガイド  アルケア株式会社  セルケア２新発売  アルケア株式会社
【発明の概要】
【発明が解決しようとする課題】
【０００４】  今までストーマ袋内部の汚染物を清掃するには、袋の下部排出口を使用して廃棄していたが、皮膚部分の清掃は大変に難しかったので、これを容易に出来るように改善したので提案する。
汚染物質はストーマ袋内において１部は皮膚に常に接触しているので、皮膚障害になる恐れがあるので、これを防止する対策は、何時でも袋内部を洗浄して皮膚を清潔に保つ必要がある。
今まではフイルターが汚染すると、洗浄もフイルターの交換もできないのでストーマ袋本体を廃棄処分していたのでコストもかさむしエコにもならない、本提案により今回からは、機能的にも容易に新しいフイルターと交換することができるようにした、風呂や海水などに入る場合には逆に袋内に海水などが浸水して来るので、器具の取り付けには防水対策を完全に出来る装具とした。
【課題を解決するための手段】
【０００５】  キャップにはリングを収める溝がある、溝の上部には垂直方向に向かって斜めにテイパーがある、
リングの外側上部には、キャップのテイパーに対応するように斜めにテイパーをつけている、又リングには締め付けの時、伸縮を調整するためのクリアランスがある。
嵌着リングＡの台には雄ネジの他に凸ネジが付いている。
更に凹ネジとストーマ袋と接触している嵌着リングＢの台がある、この凹ネジ台とストーマ袋が接触している部分は接着材や熱圧着により固定する、嵌着リングＡと嵌着リングＢの凹凸ネジが嵌合することにより固定台座が出来上がる。
以上の４部品を組み立てて、キャップを回転するとリングが伸縮して、ホースを固定したり開放したりすることが出来る、又フイルター用として使用する場合は、フイルターを固定したり開放したりすることが出来るようにした。
【発明の効果】
【０００６】  ストーマ袋内の洗浄を、安全で簡便にできるようにした、この事により皮膚障害の予防にも寄与できる、ストーマ袋内に滞留したガスによる膨張を減少すること、又フイルターの取替えも安全かつ簡便に出来るようにした。
これは全ての人口肛門等の方、老人をはじめ介護を受けている方、寝たきりの患者などストーマ袋を利用している全ての患者に適用できるように考慮した。
少しでも地球を住みよくし、エコに協力して軽快な日常生活が出来るように考慮した。
【図面の簡単な説明】
【０００７】
【図１】  ストーマ袋に取り付ける為の重要な部品
【図２】  本発明に関連する各種部品
【図３】  薄型にした取り付け装具
【図４】  ストーマ袋へ装具を取り付けた全図
【発明を実施すための形態】
【０００８】  以下図面を参照して本発明の実施形態について説明する。
【０００９】（Ａ）第１実施形態
図１  は本発明の基本となるので以下について詳細に説明する。
【００１０】  リング調整キャップ１はストーマ袋１４の内部を清掃するために使用する、ホース２３を固定したり開放したり出来る、又濾過用フイルター２５も必要の都度固定や開放が出来る。風呂など湯水に入る場合のための用具として、リング調整キャップ１の頭部を全面的に塞いでストーマ袋１４の内外を完全に絶縁した形の、防水型専用のキャップもある。
【００１１】  リング調整キャップ１の出入り口にはホース固定リング５を収める溝３がある、又溝３の上部には垂直方向に向かって斜めにテイパー４がある、これがホース固定リング５をコントロールする、そのためには嵌着リングＡ８の上にホース固定リング５を重ねて置く必要がある、リング調整キャップ１を回転することによりホース固定リング５を圧縮するのでホース２３を固定、又は開放する事が出来る。
【００１２】  ホース固定リング５を制御することにより、輪の大きさを伸縮することが出来る、ホース固定リング５には、締め付けの時に調整するためのクリアランス６がある、尚ホース固定リング５の外側上部には、リング調整キャップ１のテイパー４に対応するように斜めにテイパーをつける。
【００１３】  スプリング７は波形をしているスプリングで、鉄材やプラスチックで出来ている、但し使用目的はホース固定リング５と同様である，そのためスプリング波の長さを、ホース固定リング５の円周と同じ長さに切り取って円形に曲げる。ホース固定リング５のテイパーと同じ目的のため、円波型スプリングの上部は下部より少し狭くしている、これでホース固定リング５と同様の作動が出来るので、ホース２３などの調整をすることが出来る。
【００１４】  嵌着リングＡ８は嵌着リングＢ１２と合体して１体化して、ホース固定リング５を可動する、嵌着リングＡ８の凸ネジ１０は嵌着リングＢ１２の凹ネジ１３と合体する、凸ネジの山部分の頂点部分は裾部分よりは少し（約５０分の１）広くなっている、又リング調整キャップ１、嵌着リングＡ８とは雌ネジ２と雄ネジ９を組み合わせて回転できる。
【００１５】  嵌着リングＢ１２の凹ネジ１３と嵌着リングＡ８の凸ネジ１０により合致する．凹ネジ台１２の接触面１５とストーマ袋１４の接触面１５は接着材や熱圧着により固定する。又嵌着リングＢ１２の凹ネジ１３は、山部分の頂点部分より裾部分は少し（約５０分の１）広いので、凹凸ネジを嵌着すると簡単には離れにくくなる。
【００１６】  螺合リング１６はリング調整キャップ１と組み合わせて使用する、螺合リング１６の底部分は平らで、その上部面にはストーマ袋１４がある、更にこの接着面１５には袋押さえリング１７がある、これにも接着面１５があるので接着材や熱圧着によりこの三者を固定する。
【００１７】可撓延長管１８は各種器具間又は排水管として、延長先の目的に応じて使用する、可撓延長管１８は雌ギヤを使用して嵌着リングＡ８、又は螺合リング１６等の雄ギヤと組み合わせて使用する、その為には管の先端は目的に応じて、螺ギヤや凹凸ギヤなどに変更して使用することが出来る
【００１８】  ホース２３はストーマ袋１４の内部を清掃するとき使用する、高台からの水圧差、又は小型ポンプなどの水圧によって袋の内部を洗浄する。
【００１９】    フイルター２５はストーマ袋１４内部に発生する汚染気を濾過してストーマ袋１４の外部に放出する為のフイルター２５である、フイルター２５を新品と交換するとき、不要となったフイルター２５はストーマ袋１４の内部へ廃棄できる、その為にフイルター２５の材質は水溶性のもので構成している。
フイルター２５の図ではフイルター２５は厚い型に表示しているがフイルター台２９などで使用する場合は薄い形のフイルター２５を使用する。
【００２０】    円板２６には呼吸用の穴２７をあけて置く、又この円板２６を回転操作する為の突起したハンドル２８がある、この円板２６を操作することによりフイルター２５の呼吸及び停止を行う機能がある、この円板は同じ形のものを２枚作成する。
この円板２６は２枚ともキャップ１の溝の中に収める、当然この場合はリング５は外しておく、１枚目はハンドルの都合で下向きに入れる、もう１枚は上向きに入れる、キャップ１を回転して、この円板２６を固定又は開放する。
【００２１】（Ｂ）第２実施形態
フイルター台２９には凹ネジ１３とフイルター受面３０がある、フイルター２５を収める場合フイルター受面３０によりフイルター２５は支えられる。又接着面１５はストーマ袋１４と接着材や熱圧着により固定する。フイルター台蓋裏３２ａには凸ネジ１０があり、フイルター台２９の凹ネジ１３と嵌着して固定する。
尚フイルター２５が不良となった場合、フイルター面穴３１を通してストーマ袋１４の内側に押し込んで処分する。
【００２２】  フイルター台蓋表３２ｂには呼吸穴２７がある、その廻りには凹ネジ１３がある、又フイルター台蓋表３２ｂと取手３５は可撓性のある繋３４によって両方が結ばれている、呼吸穴蓋３３の廻りには凸ネジ１０がある、呼吸穴蓋３３の取手３５を使用して凸ネジ１０とフイルター台蓋表３２ｂの凹ネジ１３と組み合わせて着脱する事が出来る、この操作をする事によってフイルター２５による呼吸や停止をする事が出来る。
【００２３】  ホース台３６は薄型のフイルター台２９と組み合わせて使用する台である、これには凸ネジ１０とホース支３７がある、これを使用する場合は取手３５を使用して、この中の凸ネジ１０とフイルター台２９の凹ネジ１３とを組み合わせて着脱する、内部を洗浄する場合はホース２３をホース通り路１１を通して使用する。
【００２４】（Ｃ）第３実施形態
既設のストーマ袋１４の既設フイルター３８である、ストーマ袋１４の内側が汚染すると、その既設フイルター３８は使用不能となる、この既設フイルター３８は交換する事が出来ないので、このストーマ袋１４を廃棄することになる。
【００２５】  既設のストーマ袋３９は皮膚に直接接着する部分である。
【００２６】  既設のストーマ袋４０は袋内に汚染物が滞積した時、袋の下の折りたたみ４０を開いて廃棄処理をする。
【００２７】  開発中の説明をする４１、新しい形の器具でフイルター２５の交換が容易に出来るキャップ。
【００２８】  開発中の説明をする４２、過去にはほとんど洗浄する器具はありませんでした、今回は洗浄器具を取り付ける装具を取り付けたので、ストーマ袋１４内部を清掃する事ができる。
【００２９】  開発中の説明をする４３、袋内を洗浄する時など汚染物を流して処理をする、この時可撓延長管１８などを使用して廃棄する。
【００３０】ストーマ袋１４へ清浄器具などを装着した全図４４
【符号の説明】
【００３１】１    図１  リング調整キャップ又はキャップ
２    雌ネジ
３    ホース固定リング用の・溝
４    テイパー
５    ホース固定リング又はリング
６    クリアランス
７    スプリング
８    嵌着リングＡ
９    雄ネジ
１０  凸ネジ
１１  ホース通り道
１２  嵌着リングＢ
１３  凹ネジ
１４  ストーマ袋
１５  接着面
１６  図２  螺合リング
１７  袋押さえリング
１８  可撓延長管
１９  Ｌ形台
２０  接続面
２１  コ形台
２２  雄ネジ頭部との接触箇所
２３  ホース
２４  放水口
２５  フイルター
２６  円板
２７  呼吸穴
２８  ハンドル
２９  図３  フイルター台
３０  フイルター受面
３１  フイルター面穴
３２ａ  フイルター台蓋裏
３２ｂ  フイルター台蓋表
３３  呼吸穴蓋
３４  繋
３５  取手
３６  ホース台
３７  ホース支
３８  図４  既説ストーマ袋についている既設フイルター３８部分
３９  既説ストーマ袋についている皮膚に貼り付ける部分
４０  既説ストーマ袋についている排出部分
４１  今回開発した装具、フイルターキャップ
３２  今回開発した装具、掃除用具の取り付けキャップ
４３  今回開発した装具、汚水排出口キャップ
４４  ストーマ袋へ装具を取り付けた全図
【図１】
2012075835.tif 000003
【図２】
2012075835.tif 000004
【図３】
2012075835.tif 000005
【図４】
2012075835.tif 000006